(57)【要約】【課題】地域の実情や店の特徴を反映させた曲を作曲することが可能となる自動作曲装置を提供する。【解決手段】本発明の自動作曲装置を含む電子広告システムの特徴は、各支部端末１００での電子広告時に流す曲を、本部側および当該支部側の両意向を反映させて、自動作曲することにある。本部側の意向は、本部端末３００の操作者が、自動作曲に必要な曲生成用パラメータの一部をそのまま（または間接的に）、該本部端末３００から入力することによって反映され、支部側の意向は、本部端末３００から入力された曲生成用パラメータの一部のうち、変更可能なものを、当該支部端末１００の操作者が、当該支部端末１００から変更することによって反映される。【選択図】    図２
2004286972.tif 000002
【特許請求の範囲】
【請求項１】
本部端末および支部端末がそれぞれ送信する、作曲用パラメータに関する各情報を受信する受信手段と、
該受信手段から受信した、作曲用パラメータに関する各情報に基づいて作曲する作曲手段と
を有することを特徴とする自動作曲装置。
【請求項２】
支部端末に行わせるべき電子広告に関する情報を当該支部端末に送信するとともに、自動作曲装置が作曲に使用する作曲用パラメータに関する情報の一部を当該自動作曲装置に送信する送信手段を有することを特徴とする本部端末。
【請求項３】
本部端末から送信された、電子広告に関する情報に基づいて、電子広告を行うとともに、該電子広告に合わせて、自動作曲装置によって作曲された曲を再生する再生手段と、
前記自動作曲装置が作曲に使用する作曲用パラメータに関する情報の一部を当該自動作曲装置に送信する送信手段と
を有することを特徴とする支部端末。
【発明の詳細な説明】
【０００１】
【発明の属する技術分野】
本発明は、指定された複数の曲生成用パラメータに基づいて、電子広告で流れる曲を作曲する自動作曲装置に関する。
【０００２】
【従来の技術】
近年、コンビニエンスストアなどでは、電子広告を表示するための液晶ディスプレイを設け、このディスプレイ上に、本部から配信された宣伝用のデータを常時表示するようにしている。
【０００３】
このような電子広告システムとして、コンピュータネットワークサーバ装置と、広告提供主クライアントマシンと、広告閲覧者情報端末と、広告提供仲介者と、インターネット網とによって構成され、情報端末の画面上の広告の表示に関して、広告提供主が、希望する配置場所、表示の大きさ、表示の期間などを選択できるようにしたものがある（たとえば、特許文献１参照）。
【０００４】
【特許文献１】
特開２００１−３５７２９１号公報
【０００５】
【発明が解決しようとする課題】
しかし、上記従来の電子広告システムでは、電子広告の表示情報の生成方法についてのみ問題にしており、電子広告の音声情報の生成方法については問題にしていないので、その電子広告で流れる曲は、通常、広告提供主（または広告提供主によって依頼された第三者）がサーバ装置に対して配信要求し、これに対してサーバ装置が情報端末に配信したオーディオデータ（たとえば、ＰＣＭ（Ｐｕｌｓｅ  Ｃｏｄｅ  Ｍｏｄｕｌａｔｉｏｎ）方式によってデジタル変換されたもの）をそのまま再生したものであった。したがって、同じ電子広告を表示している端末では、同じ曲が流れ、地域の実情や店の特徴を反映させた曲を流すことは困難であった。
【０００６】
本発明は、この点に着目してなされたものであり、地域の実情や店の特徴を反映させた曲を作曲することが可能となる自動作曲装置を提供することを目的とする。
【０００７】
【課題を解決するための手段】
上記目的を達成するため、請求項１に記載の自動作曲装置は、本部端末および支部端末がそれぞれ送信する、作曲用パラメータに関する各情報を受信する受信手段と、該受信手段から受信した、作曲用パラメータに関する各情報に基づいて作曲する作曲手段とを有することを特徴とする。
【０００８】
請求項２に記載の本部端末は、支部端末に行わせるべき電子広告に関する情報を当該支部端末に送信するとともに、自動作曲装置が作曲に使用する作曲用パラメータに関する情報の一部を当該自動作曲装置に送信する送信手段を有することを特徴とする。
【０００９】
請求項３に記載の支部端末は、本部端末から送信された、電子広告に関する情報に基づいて、電子広告を行うとともに、該電子広告に合わせて、自動作曲装置によって作曲された曲を再生する再生手段と、前記自動作曲装置が作曲に使用する作曲用パラメータに関する情報の一部を当該自動作曲装置に送信する送信手段とを有することを特徴とする。
【００１０】
【発明の実施の形態】
以下、本発明の実施の形態を図面に基づいて詳細に説明する。
【００１１】
本発明の一実施の形態に係る電子広告システムは、たとえば複数の店舗に設置された複数台の支部端末と、少なくとも１台の本部サーバと、少なくとも１台の本部端末とによって構成されている。
【００１２】
図１は、上記複数の支部端末のいずれかを代表させたものの概略構成を示すブロック図である。
【００１３】
同図に示すように、支部端末１００は、文字入力用キーボード、マウス等のポインティングデバイスおよび各種スイッチ等の複数の操作子からなる操作子群１と、該操作子群１の各操作子の操作状態を検出する検出回路２と、装置全体の制御を司るＣＰＵ３と、該ＣＰＵ３が実行する制御プログラムや、各種テーブルデータ等を記憶するＲＯＭ４と、楽曲データ、各種入力情報および演算結果等を一時的に記憶するＲＡＭ５と、前記制御プログラムを含む各種アプリケーションプログラムや、各種楽曲データ、各種データ等を記憶する外部記憶装置６と、各種情報等を表示する、たとえば液晶ディスプレイ（ＬＣＤ）および発光ダイオード（ＬＥＤ）等を備えた表示装置７と、通信ネットワーク４０１を介して、たとえば本部サーバコンピュータ（以下、「本部サーバ」という）２００および本部端末３００とデータの送受信を行う通信インターフェース（Ｉ／Ｆ）８と、上記記憶された楽曲データ等を楽音信号に変換する音源回路９と、該音源回路９からの楽音信号に各種効果を付与するための効果回路１０と、該効果回路１０からの楽音信号を音響に変換する、たとえば、ＤＡＣ（Ｄｉｇｉｔａｌ−ｔｏ−Ａｎａｌｏｇ  Ｃｏｎｖｅｒｔｅｒ）やアンプ、スピーカ等のサウンドシステム１１とにより構成されている。
【００１４】
上記構成要素２〜１０は、バス１２を介して相互に接続され、通信Ｉ／Ｆ８には通信ネットワーク４００が接続され、音源回路９には効果回路１０が接続され、効果回路１０にはサウンドシステム１１が接続されている。
【００１５】
外部記憶装置６としては、たとえば、フレキシブルディスクドライブ（ＦＤＤ）、ハードディスクドライブ（ＨＤＤ）、ＣＤ−ＲＯＭドライブおよび光磁気ディスク（ＭＯ）ドライブ等を挙げることができる。そして、外部記憶装置６には、前述のように、ＣＰＵ３が実行する制御プログラムも記憶でき、ＲＯＭ４に制御プログラムが記憶されていない場合には、この外部記憶装置６に制御プログラムを記憶させておき、それをＲＡＭ５に読み込むことにより、ＲＯＭ４に制御プログラムを記憶している場合と同様の動作をＣＰＵ３にさせることができる。このようにすると、制御プログラムの追加やバージョンアップ等が容易に行える。
【００１６】
通信Ｉ／Ｆ８には、上述のように、たとえばＬＡＮ（Ｌｏｃａｌ  Ａｒｅａ  Ｎｅｔｗｏｒｋ）やインターネット、電話回線等の通信ネットワーク４００に接続されており、該通信ネットワーク４００を介して、本部サーバ２００に接続される。外部記憶装置６に上記各プログラムや各種パラメータが記憶されていない場合には、通信Ｉ／Ｆ８は、本部サーバ２００からプログラムやパラメータをダウンロードするために用いられる。クライアントとなるコンピュータ（本実施の形態では、支部端末）は、通信Ｉ／Ｆ８および通信ネットワーク４００を介して本部サーバ２００へとプログラムやパラメータのダウンロードを要求するコマンドを送信する。本部サーバ２００は、このコマンドを受け、要求されたプログラムやパラメータを、通信ネットワーク４００を介してコンピュータへと配信し、コンピュータが通信Ｉ／Ｆ８を介して、これらプログラムやパラメータを受信して外部記憶装置６に蓄積することにより、ダウンロードが完了する。
【００１７】
なお、支部端末１００は、上述の構成から分かるように、汎用的なパーソナルコンピュータ上に構築されたものであるが、これに限らず、本発明を実施できる最小限要素のみから構成した専用装置上に構築してもよい。また、前記本部サーバ２００および本部端末３００の各構成は、図示されていないが、支部端末１００と同様に、汎用的なパーソナルコンピュータ上に構築するようにしてもよいし、専用装置上に構築するようにしてもよい。
【００１８】
以上のように構成された電子広告システムが実行する制御処理を、まずその概要を説明し、次に図２を参照して詳細に説明する。
【００１９】
本実施の形態の電子広告システムの特徴は、各支部端末１００での電子広告時に流す曲を、本部側および当該支部側の両意向を反映させて、自動作曲することにある。本部側の意向は、本部端末３００の操作者が、自動作曲に必要な曲生成用パラメータの一部をそのまま（または間接的に）、該本部端末３００から入力することによって反映され、支部側の意向は、本部端末３００から入力された曲生成用パラメータの一部のうち、変更可能なものを、当該支部端末１００の操作者が、当該支部端末１００から変更することによって反映される。
【００２０】
次に、この制御処理を詳細に説明する。
【００２１】
図２は、本実施の形態の電子広告システムの機能構成を示すブロック図である。
【００２２】
本実施の形態の電子広告システムは、前述のように、複数台の支部端末１００と、少なくとも１台の本部サーバ２００と、少なくとも１台の本部端末３００とによって構成されているが、図２には、支部端末１００、本部サーバ２００および本部端末３００が、それぞれ１台ずつ図示されている。また、支部端末１００、本部サーバ２００および本部端末３００の各機能構成についても、本発明の特徴を説明するのに必須のもののみが図示されている。
【００２３】
本部端末３００では、その操作者は、
（１）電子広告の映像・文字・音声名称の指定
（２）電子広告で流す曲の曲風名称の指定
（３）電子広告で流す曲を生成するための、一部の曲生成用データ名称（本部決定用）の指定
（４）電子広告で流す曲を生成するための、一部の曲生成用データ名称（支部決定用）の指定
（５）モチーフデータの指定
をそれぞれ、各指定部３０２〜３０６から行うことができるように構成されている。
【００２４】
上記（１）の「映像・文字・音声名称」とは、支部端末１００の表示装置７上に表示される映像および文字と、サウンドシステム１１から出力される音声とからなる電子広告の本体データを特定するための名称であり、本部側で指定されると、支部側では変更できない種類の情報である。たとえば、本部端末３００の外部記憶装置には、予め複数の映像・文字・音声名称が格納されており、その指定時には、これら複数の映像・文字・音声名称が本部端末３００の表示装置上に一覧表示される。この一覧表示された複数の映像・文字・音声名称から、操作者がいずれかを選択すると、映像・文字・音声名称指定部３０２から、選択された映像・文字・音声名称ａがミックス部３０７に出力される。
【００２５】
上記（２）の「曲風名称」とは、作曲される曲の曲風を示す名称である。「曲風名称」毎に、１つの曲生成用データ（パラメータ）名称の集合（名称群）が対応付けられ、「曲風名称」が１つ指定されると、この「曲風名称」に対応する曲生成用データ名称群が指定される。そして、曲生成用データ名称群を構成する各曲生成用データ名称には、それぞれ、複数の曲生成用データ（パラメータ）が対応付けられている。「曲風名称」としては、本部側で大まかな曲風名称（たとえば、「ロック風」）を指定し、支部側で具体的な曲風名称（たとえば、「８ビートロック」）を指定する。つまり、「曲風名称」は、支部側でも（所定の条件付きながら）変更できる種類の情報である。この「曲風名称」の指定方法も、上記（１）と同様の方法を用いればよいので、その説明を省略する。「曲風名称」が選択されると、曲風名称指定部３０３から、選択された曲風名称ｂがミックス部３０７に出力される。
【００２６】
上記（３）の「一部の曲生成用データ名称（本部決定用）」とは、ある「曲風名称」に対応する曲生成用データ名称群に含まれる一部の曲生成用データ名称であって、本部側で指定されると、支部側では変更できない種類の名称である。「一部の曲生成用データ名称（本部決定用）」の指定方法も、上記（１）と同様の方法を用いればよいので、その説明を省略する。「一部の曲生成用データ名称（本部決定用）」が選択されると、一部の曲生成用データ名称（本部決定用）指定部３０４から、選択された一部の曲生成用データ名称（本部決定用）ｃがミックス部３０７に出力される。
【００２７】
上記（４）の「一部の曲生成用データ名称（支部決定用）」とは、上記（３）と同様に、ある「曲風名称」に対応する曲生成用データ名称群に含まれる一部の曲生成用データ名称であるが、上記（３）とは異なり、本部側で指定されても、支部側で変更できる種類の情報である。「一部の曲生成用データ名称（支部決定用）」の指定方法も、上記（１）と同様の方法を用いればよいので、その説明を省略する。「一部の曲生成用データ名称（支部決定用）」が選択されると、一部の曲生成用データ名称（支部決定用）指定部３０５から、選択された一部の曲生成用データ名称（支部決定用）ｄがミックス部３０７に出力される。
【００２８】
上記（５）の「モチーフデータ」とは、作曲される曲のモチーフとなるデータである。このモチーフデータの入力方法としては、たとえば、操作者が、鍵盤などを用いてリアルタイムに入力するリアルタイム入力方法、表示装置上に楽譜を表示し、マウスやキーボードを用いて１つずつ音符を指定して入力するステップ入力方法、あるいは、モチーフ名称を指定すると、その名称に対応するモチーフデータが読み出されて入力される方法等が考えられる。なお、「モチーフデータ」は、本部側で指定されると、支部側では変更できない種類のデータである。「モチーフデータ」が指定されると、モチーフデータ指定部３０６から、指定されたモチーフデータｅがミックス部３０７に出力される。
【００２９】
ミックス部３０７は、映像・文字・音声名称ａ、曲風名称ｂ、一部の曲生成用データ名称（本部決定用）ｃ、一部の曲生成用データ名称（支部決定用）ｄおよびモチーフデータｅをミックスして、一まとまりのデータにした後、送信部３０１に出力する。なお、各データａ〜ｅを一まとまりにするのは、通信の便宜上のことに過ぎず、各データａ〜ｅがどの電子広告に対するものであるかが分かれば、各データａ〜ｅを個別に送信しても構わない。
【００３０】
送信部３０１は、この一まとまりのデータを、本部サーバ２００の受信部２０１に送信する。受信部２０１は、受信した一まとまりのデータ（ａ＋ｂ＋ｃ＋ｄ＋ｅ）を分離部２０２に出力する。
【００３１】
分離部２０２は、入力された一まとまりのデータを、該データを構成するそれぞれのデータに単純に分離する。すなわち、一まとまりのデータは、上述のように、映像・文字・音声名称ａ、曲風名称ｂ、一部の曲生成用データ名称（本部決定用）ｃ、一部の曲生成用データ名称（支部決定用）ｄおよびモチーフデータｅによって構成されているので、分離部２０２は、映像・文字・音声名称ａを分離して、該当データ抽出部２０７に出力し、曲風名称ｂを分離して、ミックス部２０８に出力し、一部の曲生成用データ名称（本部決定用）ｃを分離して、第１抽出部２０４に出力し、一部の曲生成用データ名称（支部決定用）ｄを分離して、ミックス部２０８に出力し、モチーフデータｅを分離して、ミックス部２０８および曲生成部２０５に出力する。
【００３２】
該当データ抽出部２０７は、前記複数の映像・文字・音声名称のそれぞれに対応付けられた複数の映像・文字・音声データによって構築された映像・文字・音声データベース２０６から、映像・文字・音声名称ａに対応する映像・文字・音声データｆを抽出して、ミックス部２０８に出力する。
【００３３】
ミックス部２０８は、入力された曲風名称ｂ、一部の曲生成用データ名称（支部決定用）ｄ、モチーフデータｅおよび映像・文字・音声データｆをミックスして、一まとまりのデータにした後、送信部２０９に出力する。
【００３４】
送信部２０９は、この一まとまりのデータを、支部端末１００の受信部１０１に送信する。受信部１０１は、受信した一まとまりのデータ（ｂ＋ｄ＋ｅ＋ｆ）を分離部１０２に出力する。
【００３５】
分離部１０２は、入力された一まとまりのデータを、該データを構成するそれぞれのデータに単純に分離する。すなわち、一まとまりのデータは、上述のように、曲風名称ｂ、一部の曲生成用データ名称（支部決定用）ｄ、モチーフデータｅおよび映像・文字・音声データｆによって構成されているので、分離部１０２は、曲風名称ｂを分離して、第２選択部１０６に出力し、一部の曲生成用データ名称（支部決定用）ｄを分離して、第１選択部１０３に出力し、モチーフデータｅを分離して、曲再生部１０８に出力し、映像・文字・音声データｆを分離して、再生部１０７に出力する。
【００３６】
再生部１０７は、分離された映像・文字・音声データｆを再生し、曲再生部１０８は、分離されたモチーフデータｅを再生する。このように、映像・文字・音声データｆおよびモチーフデータｅを再生するようにしたのは、自動作曲される曲に、支部側の意向を反映させることができるように、支部端末１００の操作者が、曲生成操作部１０４を用いて、曲風名称ｂおよび一部の曲生成用データ名称（支部決定用）ｄを変更する情報を入力できるように構成されており、この変更情報を入力するときに、本部側の意向がどのようなものであるのかを参照するためである。
【００３７】
第１選択部１０３は、上述のように、支部端末１００の操作者が曲生成操作部１０４を用いて入力した変更情報のうち、一部の曲生成用データ名称（支部決定用）ｄを変更するための情報ｄ′と、上記分離された一部の曲生成用データ名称（支部決定用）ｄとに基づいて、複数の曲生成用データ名称によって構築された曲生成用データ名称データベース１０５から、少なくとも１つの曲生成用データ名称ｄ″を選択し、ミックス部１１０に出力する。なお、上記変更情報は、入力されない場合もあり、この場合には、第１選択部１０３は、上記分離された一部の曲生成用データ名称（支部決定用）ｄのみに基づいて、少なくとも１つの曲生成用データ名称ｄ″を選択するが、このようにして選択された曲生成用データ名称ｄ″は、本部側の意向のみが反映されたものとなる。
【００３８】
第２選択部１０６は、上述のように、支部端末１００の操作者が曲生成操作部１０４を用いて入力した変更情報のうち、曲風名称ｂを変更するための情報ｂ′と、上記分離された曲風名称ｂとに基づいて、上記曲生成用データ名称データベース１０５から、少なくとも１つの曲生成用データ名称ｈを選択し、ミックス部１１０に出力する。前述のように、「曲風名称」は、本部側で大まかなものが指定され、支部側で具体的なものが指定されるので、上記変更情報ｂ′は、大まかな曲風名称ｂを具体化する種類のものである。もちろん、これに限らず、変更情報ｂ′として、どのような種類のものを入力できるようにしておき、第２選択部１０６側で、上記分離された曲風名称ｂの範囲内で、変更情報ｂ′に応じた曲生成用データ名称ｈを選択するようにしてもよい。
【００３９】
ミックス部１１０は、曲生成用データ名称ｄ″およびｈをミックスして、一まとまりのデータにした後、送信部１１１に出力する。送信部１１１は、この一まとまりのデータを、本部サーバ２００の受信部２０１に送信する。受信部２０１は、受信した一まとまりのデータ（ｄ″＋ｈ）を第２抽出部２１０に出力する。
【００４０】
第２抽出部２１０は、曲生成用データ名称毎に少なくとも１つの曲生成用データからなる曲生成用データベース２０３から、入力されたデータ（ｄ″＋ｈ）、すなわち曲生成用データ名称ｄ″およびｈに対応する曲生成用データＤ″およびＨを抽出し、該曲生成用データＤ″およびＨを、作曲エンジン（作曲ソフトウェア）からなる曲生成部２０５に出力する。
【００４１】
また、前記第１抽出部２０４は、曲生成用データベース２０３から、前記分離部２０２によって分離された、一部の曲生成用データ名称（本部決定用）ｃに対応する曲生成用データＣを抽出し、該曲生成用データＣを曲生成部２０５に出力する。
【００４２】
曲生成部２０５は、前記分離部２０２によって分離されたモチーフデータｅおよび上記曲生成用データＣ，Ｄ″，Ｈに基づいて、曲を生成（作曲）し、生成した曲データｇを前記送信部２０９に出力する。なお、作曲方法は、本発明の特徴ではないため、公知の方法を用いればよい。また、曲データｇのフォーマットも、ＭＩＤＩフォーマット等、どのようなフォーマットを用いてもよい。
【００４３】
送信部２０９は、この曲データｇを、支部端末１００の受信部１０１に送信する。受信部１０１は、受信した曲データｇを分離部１０２に出力する。
【００４４】
分離部１０２は、入力された曲データｇを前記曲再生部１０８および記憶部１０９に出力する。曲再生部１０８は、この曲データｇを再生し、記憶部１０９は、この曲データｇを保存のために記憶する。支部端末１００の操作者は、この再生された曲を聞いて、気に入れば、この曲データｇを当該支部端末１００の電子広告用の曲として採用する。逆に、気に入らなければ、前記曲生成操作部１０４を用いて、再度本部サーバ２００に作曲を依頼する。この場合、前記曲生成部２０５が、入力された情報が同じでも、作曲する度に、似てはいるが異なる曲を作曲するように構成されているときには、支部端末１００の操作者は、曲生成操作部１０４から新たな変更情報を入力せずに、再作曲の指示のみ入力すればよい。もちろん、曲生成部２０５がこのように構成されていたとしても、似ていない曲を作曲したい等の要求があれば、支部端末１００の操作者は、曲生成操作部１０４から新たな変更情報を入力するようにすればよい。そして、このような操作を、支部端末１００の操作者が作曲された曲が気に入るまで続ける。
【００４５】
このように、本実施の形態では、曲生成に関わる複数の情報のうちの一部を本部端末によって指定するとともに、この複数の情報のうちの一部を支部端末によって指定し、該指定された両一部情報に基づいて、電子広告時に流す曲を作曲するようにしたので、本部側および支部側の両意向を反映させた曲を作曲することができる。
【００４６】
また、本実施の形態では、曲生成用データベース２０３および曲生成部２０５を本部サーバ２００側に設けるようにしたので、支部端末１００のシステム規模を小さくすることができ、さらに、作曲エンジンをバージョンアップするときには、単に曲生成部２０５のソフトウェアだけを変更（バージョンアップ）すればよく、メンテナンスが容易である。
【００４７】
なお、曲生成用データベースおよび曲生成部を、本部サーバ２００側に設ける代わりに、支部端末１００側に設けてもよい。図３は、この場合、すなわち曲生成用データベースおよび曲生成部を支部端末１００′側に設けた場合の電子広告システムの機能構成を示すブロック図である。同図において、図２と同様のブロックには同一符号が付されている。
【００４８】
図３と図２とを見比べれば分かるように、図２の本部サーバ２００側に設けられていた、曲生成用データベース２０３、第１抽出部２０４、第２抽出部２１０および曲生成部２０５を、そのまま図３の支部端末１００′側に移動させ、その制御処理も、本部サーバ２００側に該構成要素２０３，２０４，２０５および２１０が設けられていたときの処理から類推できる範囲のものであるので、その説明は省略する。
【００４９】
このように、曲生成用データベース１２３および曲生成部１２４を支部端末１００′側に設けるようにすると、支部端末側で作曲の指示を行ってから、曲が出来上がるまでの時間が短縮され、支部端末の操作者が気に入った曲ができるまで、それほどのストレスなく何度でも作曲を繰り返すことができ、したがって、完成度の高い曲を生成し易い。
【００５０】
また、本部サーバ２００の曲生成部２０５を支部端末１００側に移動させるとともに、支部端末１００の曲生成用データ名称データベース１０５を本部サーバ２００側に移動させるようにしてもよい。さらに、曲生成用データベース、すなわち曲生成用データ名称データベース１０５および曲生成用データベース２０３のうち、本部側で指定されると、支部側では変更できない種類のデータのみからなるデータベースのみを本部サーバに設けるようにしてもよい。
【００５１】
このように、曲生成用データベースを本部サーバに設けるようにすると、データベースを更新する場合に、本部サーバに設けられているもののみ更新すればよいので、メンテナンス性が格段に向上する。
【００５２】
また、本実施の形態では、本部サーバと本部端末とを別体の装置で構成したが、これに限らず、一体の装置で構成してもよい。
【００５３】
なお、本実施の形態では、曲生成用データ名称という間接的な情報を介在して、曲生成用データ（パラメータ）を選択するようにしたが、これに限らず、直接曲生成用データ（パラメータ）を選択するようにしてもよい。この場合、選択設定される曲生成用データを、少なくとも２つのグループ、すなわち、本部側でのみ選択設定可能な曲生成用データからなるグループと、支部側で変更設定可能な曲生成用データからなるグループに分割しておけばよい。
【００５４】
本実施の形態のように、曲生成用データ名称という間接的な情報を介在して、曲生成用データ（パラメータ）を選択する目的の１つは、本部側で一応指定した曲生成用データ名称を、支部側で変更するのが容易である（変更の自由度が高い）ことにある。そうであれば、本部側で指定されると、支部側では変更できない種類の情報、すなわち前記一部の曲生成用データ名称（本部決定用）ｃについては、「名称」という間接的な情報を用いる必要がないので、曲生成用データそのものを指定するようにしてもよい。
【００５５】
また、本実施の形態では、電子広告に流す、最終的な曲は、支部端末側で聞くことができるのみであるが、これに限らず、最終的な曲を本部サーバに送信し、本部サーバはこれを本部端末に送信して、本部端末側で確認のために聞けるようにしてもよい。
【００５６】
さらに、本実施の形態では、映像・文字・音声データベース２０６を、本部サーバ２００，２００′側に設けるようにしたが、これに限らず、本部端末３００側に設けるようにしてもよい。
【００５７】
なお、上述した実施の形態の機能を実現するソフトウェアのプログラムコードを記録した記憶媒体を、システムまたは装置に供給し、そのシステムまたは装置のコンピュータ（またはＣＰＵ３やＭＰＵ）が記憶媒体に格納されたプログラムコードを読出し実行することによっても、本発明の目的が達成されることは言うまでもない。
【００５８】
この場合、記憶媒体から読出されたプログラムコード自体が本発明の新規な機能を実現することになり、そのプログラムコードを記憶した記憶媒体は本発明を構成することになる。
【００５９】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００６０】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。
【００６１】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ３などが実際の処理の一部または全部を行い、その処理によって上述した実施の形態の機能が実現される場合も含まれることは言うまでもない。
【００６２】
【発明の効果】
以上説明したように、請求項１に記載の発明によれば、受信手段を介して、本部端末および支部端末がそれぞれ送信する、作曲用パラメータに関する各情報が受信され、該受信された、作曲用パラメータに関する各情報に基づいて作曲されるので、本部側および支部側の両意向を反映させた曲を作曲することができる。したがって、支部端末側で、たとえば、地域の実情や店の特徴に関する情報を指定するようにすれば、地域の実情や店の特徴を反映させた曲を作曲することが可能となる。
【図面の簡単な説明】
【図１】本発明の一実施の形態に係る電子広告システムを構成する複数の支部端末のいずれかを代表させたものの概略構成を示すブロック図である。
【図２】本実施の形態の電子広告システムの機能構成を示すブロック図である。
【図３】曲生成用データベースおよび曲生成部を支部端末側に設けた場合の電子広告システムの機能構成を示すブロック図である。
【符号の説明】
３…ＣＰＵ（作曲手段、再生手段）、４…ＲＯＭ（作曲手段、再生手段）、５…ＲＡＭ（作曲手段、再生手段）、８…通信Ｉ／Ｆ（受信手段、送信手段）、１００…支部端末、２００…本部サーバ、３００…本部端末
【図１】
2004286972.tif 000003
【図２】
2004286972.tif 000004
【図３】
2004286972.tif 000005